(57)【特許請求の範囲】
【請求項１】
建物の通気開口部を通気可能に被うフード内に感熱部材の感熱により当該通気開口部を閉止する回動可能なダンパープレートを備えた防火ダンパー付フードを緩衝状態において外箱内に収める包装装置であって、前記防火ダンパー付フードの通気開口端に、自由状態の前記ダンパープレートの自由端側を回動範囲の中間位置で保持しその動きを拘束するダンパー保持部材を装着し、このダンパー保持部材によって前記ダンパープレートをその回動範囲の中間位置で保持させた状態で前記外箱に収め込んだ包装装置。
【請求項２】
建物の通気開口部を通気可能に被うフード内に感熱部材の感熱により当該通気開口部を閉止する回動可能なダンパープレートを備えた防火ダンパー付フードを緩衝状態において外箱内に収める包装装置であって、前記防火ダンパー付フードの前記通気開口部に連通させるフランジを備えた開口部のそのフランジを受承し、フードの外側を囲む一枚の段ボールシートにより構成されたスリーブにより保持させた状態で前記外箱に収め込んだ包装装置。
【請求項３】
建物の通気開口部を通気可能に被うフード内に感熱部材の感熱により当該通気開口部を閉止する回動可能なダンパープレートを備えた防火ダンパー付フードを緩衝状態において外箱内に収める包装装置であって、前記防火ダンパー付フードの通気開口端に、自由状態の前記ダンパープレートの自由端側を回動範囲の中間位置で保持しその動きを拘束するダンパー保持部材を装着し、このダンパー保持部材によって前記ダンパープレートをその回動範囲の中間位置で保持させるとともに、これら防火ダンパー付フードとダンパー保持部材の総体を、前記防火ダンパー付フードの前記通気開口部に連通させる開口部に備えたフランジにおいて受承し、外側を囲む一枚の段ボールシートにより構成されたスリーブに保持させた状態で前記外箱に収め込んだ包装装置。
【請求項４】
請求項１又は請求項３のいずれかに記載の包装装置であって、ダンパー保持部材を一枚の段ボールシートで構成するとともに、その段ボールシートにダンパープレートの回動面に直交する回動面で回動できる保持片を画成し、この保持片に同保持片の回動によって前記ダンパープレートの自由端が嵌合する嵌合凹部を設けた包装装置。
【請求項５】
請求項４に記載の包装装置であって、保持片の嵌合凹部の端を開先形状にした包装装置。
【請求項６】
請求項１又は請求項３又は請求項４又は請求項５のいずれかに記載の包装装置であって、ダンパー保持部材に保持片を、互いに反対方向に回動できるように二個並列に近接状態に画成した包装装置。
【請求項７】
請求項１又は請求項３又は請求項４又は請求項５のいずれかに記載の包装装置であって、ダンパー保持部材に保持片を複数個並列して画成した包装装置。
【請求項８】
請求項１又は請求項３又は請求項４又は請求項５又は請求項６又は請求項７のいずれかに記載の包装装置であって、ダンパー保持部材のダンパープレートとの当り部分にプレート保護部材を装着した包装装置。
【発明の詳細な説明】
【０００１】
【発明の属する技術分野】
本発明は、建物の通気開口部を通気可能に被うフード内に感熱部材の感熱により当該通気開口部を閉止する回動可能なダンパープレートを備えた防火ダンパー付フードを緩衝状態において外箱内に収める包装装置に関するものである。
【０００２】
【従来の技術】
建物の通気開口部を通気可能に被うフード内に感熱部材の感熱により当該通気開口部を閉止する回動可能なダンパープレートを備えた防火ダンパー付フードは、防火機能を果たすダンパープレート部分については建築基準法により構造や性能が定められている。例えば、ダンパープレートについては鋼板の板厚が１．６ｍｍ以上は必要である。フードについては特段の定めはなく、薄い鋼板が採用されている。こうした防火ダンパー付フードの包装は、従来においては、自由状態においたダンパープレートをフードの内面にテープ等で止めて、段ボール箱に門型の緩衝材を逆向きにして収め、この緩衝材を介して収め込んでいる。
【０００３】
【発明が解決しようとする課題】
上記のような従来の防火ダンパー付フードの包装形態においては、質量が大きく高剛性のダンパープレートを質量が小さく低剛性のフードで支えているので、輸送や保管時の取扱いにおいて、振動が加わるとダンパープレートによってフードが損傷を受け易いといった問題点がある。また、支持面が二面の緩衝材では質量の大きい防火ダンパー付フードを緩衝状態においておくことは無理であり、緩衝材の緩衝性能の低さと相まって、上述したフードの損傷が起き勝ちであった。
【０００４】
本発明は上記した従来の問題点を解消するためになされたもので、その課題とするところは、緩衝性能の高い防火ダンパー付フードの包装装置を得ることであり、構成が簡素で緩衝性能の高い防火ダンパー付フードの包装装置を得ることである。
【０００５】
【課題を解決するための手段】
前記課題を達成するために請求項１の発明は、建物の通気開口部を通気可能に被うフード内に感熱部材の感熱により通気開口部を閉止する回動可能なダンパープレートを備えた防火ダンパー付フードを緩衝状態において外箱内に収める包装装置について、その防火ダンパー付フードの通気開口端に、自由状態のダンパープレートの自由端側を回動範囲の中間位置で保持しその動きを拘束するダンパー保持部材を装着し、ダンパー保持部材によってダンパープレートをその回動範囲の中間位置で保持させた状態で外箱に収め込む手段を採用する。
【０００６】
前記課題を達成するために請求項２の発明は、建物の通気開口部を通気可能に被うフード内に感熱部材の感熱により通気開口部を閉止する回動可能なダンパープレートを備えた防火ダンパー付フードを緩衝状態において外箱内に収める包装装置について、その防火ダンパー付フードの通気開口部に連通させるフランジを備えた開口部のフランジを受承し、フードの外側を囲む一枚の段ボールシートにより構成されたスリーブにより保持させた状態で外箱に収め込む手段を採用する。
【０００７】
前記課題を達成するために請求項３の発明は、建物の通気開口部を通気可能に被うフード内に感熱部材の感熱により当該通気開口部を閉止する回動可能なダンパープレートを備えた防火ダンパー付フードを緩衝状態において外箱内に収める包装装置について、その防火ダンパー付フードの通気開口端に、自由状態のダンパープレートの自由端側を回動範囲の中間位置で保持しその動きを拘束するダンパー保持部材を装着し、このダンパー保持部材によってダンパープレートをその回動範囲の中間位置で保持させるとともに、これら防火ダンパー付フードとダンパー保持部材の総体を、防火ダンパー付フードの通気開口部に連通させる開口部に備えたフランジにおいて受承し、外側を囲む一枚の段ボールシートにより構成されたスリーブに保持させた状態で外箱に収め込む手段を採用する。
【０００８】
前記課題を達成するために請求項４の発明は、請求項１又は請求項３のいずれかに係る前記手段におけるダンパー保持部材を、一枚の段ボールシートで構成するとともに、その段ボールシートにダンパープレートの回動面に直交する回動面で回動できる保持片を画成し、保持片に保持片の回動によってダンパープレートの自由端が嵌合する嵌合凹部を設ける手段を採用する。
【０００９】
前記課題を達成するために請求項５の発明は、請求項４に係る前記手段における保持片の嵌合凹部の端を開先形状にする手段を採用する。
【００１０】
前記課題を達成するために請求項６の発明は、請求項１又は請求項３又は請求項４又は請求項５のいずれかに係る前記手段におけるダンパー保持部材に保持片を、互いに反対方向に回動できるように二個並列に近接状態に画成する手段を採用する。
【００１１】
前記課題を達成するために請求項７の発明は、請求項１又は請求項３又は請求項４又は請求項５のいずれかに係る前記手段におけるダンパー保持部材に保持片を複数個並列して画成する手段を採用する。
【００１２】
前記課題を達成するために請求項８の発明は、請求項１又は請求項３又は請求項４又は請求項５又は請求項６又は請求項７のいずれかに係る前記手段におけるダンパー保持部材のダンパープレートとの当り部分にプレート保護部材を装着する手段を採用する。
【００１３】
【発明の実施の形態】
次に本発明の実施の形態を図面に基づいて説明する。
図１〜図９によって示す本実施の形態は、建物の換気系等の通気開口部の屋外側を通気可能に被うフード１内に感熱部材の感熱により通気開口部を閉止する回動可能なダンパープレート２を備えた防火ダンパー付フードを緩衝状態において外箱３内に収める包装装置に関するものである。被包装物である防火ダンパー付フードは、通気開口部の外側に取付けるフランジ４を備えた枠体５に垂直面内で回動できるように枢支されたダンパープレート２を備えた防火機能部の上側と前側と両側をドーム状のフード１で被った構成である。枠体５のフランジ４で囲まれる開口部６は通気開口部に連通され、フード１内を経てフード１の下部の通気開口端７において屋外に通じるものである。枠体５の下部にはフランジ４に沿って延び自由端側が通気開口端７側に斜めに曲げられた水切部材８が設けられている。
【００１４】
防火機能部は建築基準法により定められた規定を満たす構成となっており、高剛性で質量も大きくなっている。ダンパープレート２については板厚が１．６ｍｍ以上の鋼板により構成されている。防火機能部を被うフード１は、薄い鋼板により構成されている。ダンパープレート２は取付け状態では感熱部材により通気開口部を開放する位置に保持されるが、出荷時には感熱部材は外され自由に回動できる形態を採っている。
【００１５】
この包装装置は、上述したような構成の防火ダンパー付フードを枠体５を上にしてフード１の通気開口端７を一側に向けて段ボール紙よりなる六面体の外箱３に収納するものであり、外箱３とダンパープレート２を保持するダンパー保持部材９と、フード１の外側を囲むスリーブ１０とにより構成されている。
【００１６】
ダンパー保持部材９は、図４，５に示すようにフード１の通気開口端７の外側に当接可能な面積の方形の一枚の段ボールシートで構成され、段ボールシートの中間位置にはダンパープレート２の回動面に直交する回動面で互いに反対方向に回動できる二個の矩形の保持片１１が１００ｍｍ内外の間隔をもって画成されている。二個の保持片１１には保持片１１の回動によってダンパープレート２の自由端を嵌合させうる溝状の嵌合凹部１２が反回動側辺縁の中間位置に形成されている。この嵌合凹部１２はダンパープレート２の厚さより大きい幅を持ち、開放側の上部は斜めに打抜かれ開先形状１３に形成され、図３，４に示すような片面段ボール紙よりなる保護部材１４がコルゲート側を内向きにして装着される。なお、図６，７に示すように保持片１１は外側で折り曲げるようにしても、内側で折り曲げるようにしてもよい。
【００１７】
スリーブ１０は、一枚の段ボールシートによりフード１の四周を囲む角筒体として構成されている。スリーブ１０の上端には枠体５のフランジ４を受承する受面１５が三方向にフランジ状に曲げ形成され、残る一方向には他の受面１５より下位において水切部材８の基部を受ける受面１６が形成されている（図８参照）。スリーブ１０の展開形状は図９に示すように三隅に切欠きを付けた方形であり、各曲げ罫線１７を折り曲げ対角線上において重合部を接着またはステッチングワイヤーにより固着することにより組立てられる。固着部の一方は、一側面から延出する状態に張出し１８として突出し、外箱３の内側面に端面が当接し支保機能を果たす。なお、図中の矢印は段ボール紙のコルゲートの走る方向を示している。また、ダンパー保持部材９の保持片１１は一つでも、三つ以上でもよい。
【００１８】
この包装装置による、防火ダンパー付フードの包装は、つぎのような手順で行なうことができる。即ち、蓋の開放した外箱３内に組立てたスリーブ１０を受面１５を上にして収め込む。スリーブ１０は各受面１５，１６と張出し１８の端面が外箱３の内側面に当接することにより外箱３内に位置決めされる。ダンパー保持部材９を通気開口端７を閉止する状態に当てがい、開口部６を上にして自由状態におかれているダンパープレート２を持ち上げ回動範囲の中間である保持片１１の嵌合凹部１２に対応する位置に自由端が位置するように保持し、各保持片１１を親指と人指指側を使ってフード１側へ曲げ起し、嵌合凹部１２にダンパープレート２の自由端を入り込ませる。これによって、ダンパープレート２は自由端の二箇所において支えられ、その動きが拘束される。ダンパー保持部材９を装着した総体を図１に示すようにポリバック１９で包み、外箱３内のスリーブ１０に入れ、フランジ４をスリーブ１０の受面１５に受承させる。この後、開口部６を塞ぐ状態に段ボールパット２０を載せ、外箱３の蓋を閉じ封緘すれば包装が完了する。
【００１９】
保持片１１を予め曲げ起しておいてダンパー保持部材９を通気開口端７に装着する方法で包装してもよく、この場合には曲げ起した保持片１１の嵌合凹部１２に保護部材１４を装着しておき、この保護部材１４の中にダンパープレート２の自由端を差し込むように入れる。このとき、嵌合凹部１２の先は開先形状１３に構成されているので、ダンパープレート２の差し込みは容易であり、嵌合凹部１２の破れや裂けなども防止される。ダンパープレート２は保護部材１４のコルゲート側の面で保持され、緩衝状態で動きが拘束される。
【００２０】
このように包装された防火ダンパー付フードは、全体が強度の高いフランジ４において四面で支えられたスリーブ１０で受けられ、質量が大きくてもしっかりと保持され、圧縮荷重に対して緩衝保護される。スリーブ１０と外箱３の内側面との間には隙間ができているので、側方からの衝撃はこの隙間により空気緩衝される。輸送や保管時の取扱いで振動を受けても、高剛性で質量の大きいダンパープレート２は二つの保持片１１で安定に保持されているため、フード１を傷つけるようなことは起きない。また、保護部材１４が装着されているのでダンパープレート２自体の塗装が傷つくようなこともない。このように、この防火ダンパー付フードの包装装置は、構成が簡素で緩衝性能の高いものである。
【００２１】
【発明の効果】
請求項１の発明によれば、構成が簡素で緩衝性能の高い防火ダンパー付フードの包装装置が得られる。
【００２２】
請求項２の発明によれば、緩衝性能の高い防火ダンパー付フードの包装装置が得られる。
【００２３】
請求項３の発明によれば、緩衝性能の高い防火ダンパー付フードの包装装置が得られる。
【００２４】
請求項４の発明によれば、請求項１又は請求項３のいずれかに係る前記効果とともに構成を一層簡素にすることができる。
【００２５】
請求項５の発明によれば、請求項４に係る前記効果とともに、包装操作が容易になる。
【００２６】
請求項６の発明によれば、請求項１又は請求項３又は請求項４又は請求項５のいずれかに係る前記効果とともに保持片の組立てが片手で簡単にできるものとなる。
【００２７】
請求項７の発明によれば、請求項１又は請求項３又は請求項４又は請求項５のいずれかに係る前記効果とともにダンパープレートをより安定に保持することができる。
【００２８】
請求項８の発明によれば、請求項１又は請求項３又は請求項４又は請求項５又は請求項６又は請求項７のいずれかに係る前記効果とともにダンパープレートを保持しながら保護することができる。
【図面の簡単な説明】
【図１】  実施の形態の包装装置を示す分解斜視図である。
【図２】  実施の形態の包装装置を示す断面図である。
【図３】  実施の形態の包装装置の保護部材の平面図である。
【図４】  実施の形態の包装装置の保護部材の側面図である。
【図５】  実施の形態の包装装置のダンパー保持部材を示す斜視図である。
【図６】  実施の形態の包装装置のダンパー保持部材を示す展開図である。
【図７】  実施の形態の包装装置の他のダンパー保持部材を示す展開図である。
【図８】  実施の形態の包装装置のスリーブを示す斜視図である。
【図９】  実施の形態の包装装置のスリーブの展開図である。
【符号の説明】
１  フード、  ２  ダンパープレート、  ３  外箱、  ６  開口部、  ７  通気開口端、  ９  ダンパー保持部材、  １０  スリーブ、  １１  保持片、  １２  嵌合凹部、  １３  開先形状、  １４  保護部材。
【図１】
0004190645.tif 000002
【図２】
0004190645.tif 000003
【図３】
0004190645.tif 000004
【図４】
0004190645.tif 000005
【図５】
0004190645.tif 000006
【図６】
0004190645.tif 000007
【図７】
0004190645.tif 000008
【図８】
0004190645.tif 000009
【図９】
0004190645.tif 000010